(57)【特許請求の範囲】
【請求項１】
個々の記録媒体に対応するライブラリ情報を記憶する記憶手段と、
前記個々の記録媒体を識別する記録媒体識別ＩＤを前記記録媒体に形成したコントロールトラック上に書き込むためのコントロールヘッドとから成り、
再生時に、前記記録媒体のコントロールトラック上に書き込まれた記録媒体識別ＩＤを読み取り、前記記録媒体識別ＩＤに対応したライブラリ情報を前記記憶手段より読み出すことを特徴とする記録再生情報管理装置であって、
前記記録媒体における番組が記録された領域の少なくとも一部に後から他の番組が上書きされた場合に、前記記録媒体に対応するライブラリ情報を前記記憶手段から読み出し、上書きれたことを示す情報を前記ライブラリ情報に追加して前記記憶手段に書き込むと共に、上書きされたことを表示する手段を更に備えたことを特徴とする記録再生情報管理装置。
【請求項２】
記録媒体に形成したコントロールトラックに、記録媒体識別ＩＤを繰り返し記録し、
前記記録媒体に記録された記録媒体識別ＩＤに対応するライブラリ情報を記録再生装置に内蔵した記憶手段から読み出すことを特徴とする記録再生情報管理方法であって、
前記記録媒体における番組が記録された領域の少なくとも一部に後から他の番組が上書きされた場合に、前記記録媒体に対応する前記ライブラリ情報を前記記憶手段から読み出し、上書きれたことを示す情報を前記ライブラリ情報に追加して前記記憶手段に書き込むと共に、上書きされたことを表示することを特徴とする記録再生情報管理方法。
【発明の詳細な説明】
【０００１】
【発明の属する技術分野】
本発明は、磁気記録媒体上に記録した番組や再生した番組などの情報を容易に管理することができる記録再生情報管理装置および記録再生情報管理方法に関するものである。
【０００２】
【従来の技術】
従来、磁気記録再生装置（以下ＶＴＲという）で映像や音声を記録した磁気テープを管理する方法としては、番組などの記録内容などを書き込んだラベルをテープカートリッジに貼り付けて管理することが一般的であった。
【０００３】
ところが、記録内容などは日々更新されるため、更新の度に記録内容を書き込んだラベルを書き加えたり、貼り替えたりする必要があった。
【０００４】
そこで、テープカートリッジにメモリを搭載し、このメモリに番組などの記録内容を記憶する方法が提案されている。
【０００５】
しかし、テープカートリッジにメモリを搭載すると、テープカートリッジのコストが高くなり、テープカートリッジ自体が高価になるという問題があった。
【０００６】
また、ＶＴＲ本体にメモリとバーコードリーダーを搭載し、テープカートリッジにテープ識別用のバーコードを貼り付けるという方法も提案されているが、テープカートリッジへのバーコードの貼付という煩わしい作業が発生するという問題があった。
【０００７】
更に、ＶＴＲ本体にメモリを搭載し、テープカートリッジ内の磁気テープのＶブランキングにテープ識別用の信号を付加する方法も考えられるが、テープを識別するためには磁気テープを通常の速度で再生しなければならないので、識別に利用するには不便であり、磁気テープの始端や終端にテープ識別用の信号を付加した場合には、磁気テープを所定の位置にしなければならないためテープの識別に時間がかかり非常に不便であった。
【０００８】
ところで、ＶＴＲにおいては、磁気テープ上に複数の番組を記録する場合、各番組の先頭位置に頭出し用信号を記録しておき、例えばユーザーが録画済テープから所望の番組を再生したい場合には、ＶＴＲを一旦サーチモードに設定して頭出し用信号が再生できる位置までビデオテープを早送りした後、再生モードに切り換えて見たい番組であるか否かを確認するようになされている。なお、このような頭出し用信号としてはＶＩＳＳ（ＶＨＳ  ｉｎｄｅｘ  ｓｅａｒｃｈ  ｓｙｓｔｅｍ）がある。これは、記録トラックが斜め方向に記録された下端部に沿って形成されるＣＴＬ（コントロールトラック）にＳ磁気領域とＮ磁気領域の比率を変えて交互に記録することにより、所定間隔で立ち上がる再生信号に対して再生信号の降下位置を変化させ、このパルス信号のデューティー比を変化させることによりディジタルデータの「１」及び「０」に対応するデータを記録し、「０」を両端として、「１」を６１±３ビット、合計６３±３ビットの頭出しコードを記録するものである。
【０００９】
また、４桁の数字を指定して、指定したアドレスに磁気テープを送る、高速頭出しに用いられる頭出し用信号の記録データとしては、いわゆるＶＡＳＳ（ＶＨＳ  ａｄｄｒｅｓｓ  ｓｅａｒｃｈ  ｓｙｓｔｅｍ）がある。ＶＡＳＳとは上述したコントロールトラックにＳ磁気領域とＮ磁気領域の比率を変えて交互に記録することにより、所定間隔で立ち上がる再生信号に対して再生信号の降下位置を変化させ、このパルス信号のデューティー比を変化させることによりディジタルデータの「１」及び「０」に対応するデータを記録し、４ビットＢＣＤ（Ｂｉｎａｒｙ  ｃｏｄｅｄ  ｄｅｃｉｍａｌ）４桁（書き込みはＭＳＢより開始し、４桁の位取りは書き込み順で千，百，十，一となる）の番地コードを記録するシステムである。
【００１０】
このＶＡＳＳによって記録された番地コードをテープ上に録画された番組の頭出し以外に利用することが特開平４−９０１７６号に記載されている。同公報によれば、ビデオカセットのコントロールトラックの先頭位置に各ビデオカセットに固有の４桁の番地コードを記録し、ＶＴＲのメモリに番地コードに対応した管理データを記憶させるもので、管理データとしては、番組名や録画年月日などを入力している。
【００１１】
【発明が解決しようとする課題】
記録した番組をすぐに再生することができない場合は、記録したが再生したどうかを番組毎に再生して確認する必要があり、また、再生したかどうかをユーザが全て記憶しておくことは困難であり、この状態は記録した番組の数が増えれば増えるほど、記録してからの時間が経過すればするほど発生するため、記録した番組や再生した番組に関する情報の管理が極めて煩雑になるという問題点を有していた。
【００１２】
また、一度記録した番組の上に別の番組を上書きした場合には、前に記録されていた番組関する情報が消えてしまったり、テープに記録されている状態を正確に反映しないものとなったりして、記録した番組等に関する情報の管理が極めて煩雑になるという問題点を有していた。
【００１３】
【課題を解決するための手段】
本発明は上述した課題を解決するために、記録媒体２に対応するライブラリ情報を記憶する記憶手段５と、前記記録媒体２を識別する記録媒体識別ＩＤを前記記録媒体２に形成したコントロールトラック上に書き込むためのコントロールヘッド３とから成り、再生時に、前記記録媒体２のコントロールトラック上に書き込まれた記録媒体識別ＩＤを読み取り、前記記録媒体識別ＩＤに対応したライブラリ情報を前記記憶手段５より読み出すことを特徴とする記録再生情報管理装置であって、記録された領域の少なくとも一部に後から他の番組が上書きされた場合に、前記記録媒体２に対応するライブラリ情報を前記記録再生装置に内蔵されている前記記憶手段５から読み出し、上書きれたことを示す情報を前記ライブラリ情報に追加して前記記憶手段５に書き込むと共に、上書きされたことを表示する手段を備えたことを特徴とする記録再生情報管理装置を提供するものである。
さらに、記録媒体２に形成したコントロールトラックに、記録媒体識別ＩＤを繰り返し記録し、前記記録媒体２に記録された記録媒体識別ＩＤに対応するライブラリ情報を記録再生装置に内蔵した記憶手段５から読み出すことを特徴とする記録再生情報管理方法であって、記録された領域の少なくとも一部に後から他の番組が上書きされた場合に、前記記録媒体２に対応する前記ライブラリ情報を前記記録再生装置に内蔵されている前記記憶手段５から読み出し、上書きれたことを示す情報を前記ライブラリ情報に追加して前記記憶手段５に書き込むと共に、上書きされたことを表示することを特徴とする記録再生情報管理方法を提供するものである。
【００１４】
【発明の実施の形態】
以下、本発明に係る記録再生装置について図面を参照して説明する。図１は本発明に係る記録再生装置の一実施例を示す図である。同図において、１はテープカートリッジ、２は磁気テープ、３はコントロールヘッド、４はサーボ回路、５はメモリ、６はＣＰＵである。なお、ＶＴＲの基本的な記録再生部については省略する。以下の説明では、ＶＴＲとしては、磁気テープを回転ドラムに対して走行させることにより形成される傾斜トラックにアナログ信号で映像信号や音声信号を記録するものや、同様に形成される、例えば、傾斜トラックが１秒間に６０本ずつ形成され、各傾斜トラックにはＭＰＥＧ方式で圧縮処理され、所定のパケット形態で傾斜トラックの長手方向にたデジタル信号の形式で映像信号や音声信号が順次記録されるものを一例として説明する。
【００１５】
テープカートリッジ１に内蔵された磁気テープ２のコントロールトラックへの書き込みはＣＰＵ６からの情報によりサーボ回路４を制御し、コントロールヘッド３によって行われる。このとき、ＣＰＵ６からの情報としては、ＶＴＲ固有の識別情報（ＩＤ）である機器ＩＤ、テープ固有の識別情報（ＩＤ）であるテープＩＤ、絶対アドレスが含まれている。この絶対アドレスとしては、例えば、時間・分・秒等のタイムコードや所定の周期で積算していくカウンター値等が利用される。
【００１６】
テープＩＤとは、ＶＴＲがテープカートリッジを識別するためにテープカートリッジ個々に管理用として割り付ける番号であり、テープカートリッジがＶＴＲに挿入されたときにＶＴＲが磁気テープ上のテープＩＤを自動認識するように構成すれば、ユーザーが意識する必要はない。なお、テープＩＤの割り付けは新しいテープカートリッジが挿入された場合、又はテープカートリッジを挿入したがテープＩＤが読み取れない場合など、テープＩＤが確定していない状態で磁気テープに録画を開始した時点で行われる。
【００１７】
また、機器ＩＤとは磁気テープに記録を行った機器個体を区別するために割り付ける番号であり、同じ機能を持つ他のＶＴＲでの誤判別を防止する。
【００１８】
機器ＩＤ、テープＩＤ、絶対アドレスなどの情報が磁気テープ２のコントロールトラックに書き込まれるのと同時に、ＣＰＵ６によって、例えば、放送局からＥＰＧ（電子番組情報）等により送信される番組に関する情報やユーザーが手動で入力した情報、ＶＴＲの内蔵時計による時刻情報など（以下これらの情報をライブラリ情報という）がテープＩＤに対応する形でＶＴＲ内のメモリ５に記憶される。
【００１９】
ライブラリ情報としては、番組記録年月日曜日、記録開始時刻、記録終了時刻、記録時間、番組タイトル（ＥＰＧ経由で供給される場合はこれを自動的に取得し、番組タイトルがＥＰＧ等で供給されない場合はＶＴＲ中に設けられた、例えば、かな漢字変換機能等の入力機能を使用して番組タイトルをユーザが手動で入力）、チャンネル番号（地上波放送のチャンネル番号、衛星放送（ＢＳ／ＣＳ））、記録（録画）モード（アナログ標準記録モード、アナログ長時間記録モード、デジタル標準記録モード、デジタル長時間記録モード）、番組の音声形式（２カ国語放送、ステレオ放送）、番組ジャンル（ドラマ、スポーツ、バラエティー、趣味、映画、子供向け、ショッピング、教育、ニュース、音楽、アニメ、シリーズ、ショー、芸術・教養、スペシャル、その他、未設定）、少なくとも一部が後から上書きされことを示す上書き情報、記録した番組を再生したかどうかを示す情報等がある。
【００２０】
上書き情報としては、例えば、既に記録された番組の記録開始位置と記録終了位置の間に別の記録が行われた場合は、蓄積されているライブラリ情報に上書きされたことを示すフラグを付加して、ライブラリ情報の表示を行う際には、上書きフラグが立っている番組については、後述するような上書きされたことを示す表示を行う。
【００２１】
また、番組が記録されたテープの途中に上書きされた場合は、上書きした番組に関する上述した各種のライブラリ情報をＶＴＲのメモリ５に蓄積すると共に記録が終了した時点で、前に記録されていた番組の記録部分がどのくらい残っているかを前の番組の記録開始位置・記録終了位置と、後から記録した番組の記録開始位置・記録終了位置から判断して、前の番組の記録のうち上書きされていない部分が多い方を前の番組に関する新たなライブラリ情報として更新してＶＴＲのメモリ５に蓄積する。
【００２２】
例えば、前の番組Ａが６０分間記録されていて、記録開始後１０分の位置から新たな番組Ｂが３０分間上書き記録された場合は前の番組の記録が１０分（０分から１０分まで）と、２０分（４０分から６０分まで）二分割されてしまうので、記録の残っている長い方、つまり、番組Ａに関しては２０分（４０分から６０分まで）の記録を番組Ａの新たなライブラリ情報としてＶＴＲのメモリ５に更新して書き込む。
【００２３】
記録した番組を再生したかどうかの情報に関しては、記録時にフラグをたてておき、記録した番組を再生するとこのフラグを解除する。再生については記録した番組を全て再生した場合にフラグを解除する、あるいは記録した番組全体を再生しなくても一部だけでも再生した場合はフラグを解除する様に構成することが可能である。一般的には記録した番組を再生したが、内容が予想外で番組全体を再生する必要がない場合などの場合も想定されるので、このような場合に対応するためには一部だけ再生した際にフラグを解除するよう構成する。
【００２４】
また、磁気テープ２からのライブラリ情報の読み出しは以下の手順に従って行われる。テープカートリッジ１がＶＴＲに挿入されると、コントロールヘッド３によって磁気テープ２上のコントロールトラックが走査され、得られた機器ＩＤが当該ＶＴＲと一致するかを判別する。一致した場合には機器ＩＤと共に得られたテープＩＤによってＣＰＵ６はテープの種類を特定し、ライブラリ情報が格納されているメモリ５からテープＩＤに対応するライブラリ情報を取得する。そして、必要に応じてＶＴＲの映像出力からライブラリ情報を出力し、図示しないテレビ受像機に表示する。
【００２５】
次に、コントロールトラックへのライブラリ情報の記録方法について説明する。コントロールトラックには「０」パルス又は「１」パルスに対応する記録電流を記録するが、このとき、例えば、Ｎ磁極領域を６０＋１０％から６０−５％とすることで「０」パルスとすることができ、同様にＮ磁極領域を２７．５±３％とすることで「１」パルスとすることができる。
【００２６】
このようにコントロール信号のデューティー比を変えてコントロールトラックに情報を記録するが、コントロールトラックにはタイムコードが繰り返し記録されている。１サイクルのタイムコードは、「０」を両端として「１」を９ビット、合計１１ビットのヘッダと、４ビットＢＣＤ（Ｂｉｎａｒｙ  ｃｏｄｅｄ  ｄｅｃｉｍａｌ）４桁（書き込みはＭＳＢより開始し、４桁の位取りは書き込み順で千，百，十，一となる）のユーザーデータと、ＢＣＤ６桁のタイムコードデータ、及び４ビットのチェックサムとからなる合計５０ビットから成る（図２参照）。
【００２７】
このタイムコードのフォーマットを利用して機器ＩＤ、テープＩＤ、絶対位置情報などの情報を記録する。また、必要に応じて番組を区別する番組ＩＤを付加しても良い。機器ＩＤ、テープＩＤ及び番組ＩＤはタイムコード中のユーザーデータ領域に記録し、絶対位置情報はタイムコードデータ領域に記録する。
【００２８】
機器ＩＤ、テープＩＤ、番組ＩＤの３つのデータはそれぞれＢＣＤ４桁の数値で表し、タイムコード中のユーザーデータ領域に順番に繰り返し記録している。一方、タイムコード中のタイムコードデータにはテープ先頭からの位置をＮＴＳＣのＥＰモードの速度に換算した時間で示す「絶対アドレス」を繰り返し記録している。つまりタイムコードはヘッダを除くと図２に示すように機器ＩＤ、絶対アドレス、テープＩＤ、絶対アドレス、番組ＩＤ、絶対アドレスの順番で繰り返し記録されている（図３参照）。
【００２９】
そして、ＶＴＲに内蔵したメモリ５には機器ＩＤが登録されており、機器に挿入されたテープカートリッジ１が当該ＶＴＲで使用されているものかどうかを判別する。テープカートリッジ１が当該ＶＴＲで使用されているものであるときには、次にテープＩＤを参照し、これに対応する上述したようなライブラリ情報（番組タイトルや記録ソース、番組カテゴリ、録画モード、などの放送局から送信されるかユーザーが手動で入力するかＶＴＲの内蔵時計など機器本体より得られる情報）をメモリ５より読み出して必要に応じてテレビ受像機などに表示する。
【００３０】
このようにＶＴＲに内蔵したメモリ５にテープ情報及び番組情報などのライブラリ情報を記録する方式では、同様なシステムを内蔵した他のＶＴＲにテープカートリッジ１を挿入しても、機器ＩＤが異なるため正確な番組情報を得られない。そこで、ＶＴＲに内蔵したメモリ５に格納されている当該磁気テープ２のテープ情報及び番組情報の中から全ての情報又は主要な情報のみをメモリ５から読み出して、磁気テープ２のコントロールトラックに記録する。そして、他のＶＴＲでその情報を読み出して内蔵メモリに情報をコピーする方法が考えられる。以下、テープカートリッジを搬送する場合のライブラリ管理について説明する。
【００３１】
まず、ライブラリ情報を磁気テープ２に書き込む方法について図４を参照して説明する。録画開始時にはコントロールトラックにＶＩＳＳが書き込まれ、その後、機器ＩＤ、テープＩＤ、番組ＩＤ、絶対アドレスを記録したタイムコードが書き込まれる。データの書き込みに当たって、録画開始地点にあるＶＩＳＳ、機器ＩＤ、テープＩＤ、番組ＩＤ、絶対アドレスは番組の頭出しに必須な情報であるから、これらの情報は残しておかなければならない。そのためには番組開始地点のＶＩＳＳからある程度離れた地点からライブラリ情報のデータを書き込む必要がある。
【００３２】
そこで、テープカートリッジ１を挿入した後、磁気テープ２を先頭に巻き戻し、一番先頭にある番組のＶＩＳＳを探す。次に、このＶＩＳＳから順に記録されている機器ＩＤ、テープＩＤ、番組ＩＤ、絶対アドレスを保護するために、これらの情報が書き込まれている一連の領域を１サイクルとして数サイクル分テープを送る。本実施例では３サイクル分送っている。そして、送った位置よりタイムコードのユーザーデータ（機器ＩＤ、テープＩＤ、番組ＩＤが記録されている部分）部分に当該テープのライブラリ情報をＢＣＤ４桁の数値に変換して書き込む。
【００３３】
このとき、書き込み、読み出しエラーを考慮して書き込むデータのライブラリ情報を１セットとした場合、これを数セット繰り返して書き込む。また、この１セットのデータの前後にはデータ開始点及びデータ終了点を示す情報を付加している。このように磁気テープ２のコントロールトラックには、まずＶＩＳＳが書き込まれ、その後にタイムコードが繰り返し記録されているが、タイムコード中のユーザーデータ領域には機器ＩＤ、テープＩＤ、番組ＩＤを一組とした識別情報が３サイクル分記録されており、データ開始点、テープ情報、番組情報、データ終了点を一組として数サイクル分記録されている（図５参照）。
【００３４】
なお、データを書き込むときには、データを書き込むトラックのある番組の次に位置する番組の先頭にあるＶＩＳＳ、機器ＩＤ、テープＩＤ、番組ＩＤ、絶対アドレスを消去しないように、その番組（データを書き込むトラックのある番組）が一定の長さ以上であること（データを書き込むのに十分な長さであること）を予め確認する。
【００３５】
次に、磁気テープ２からのライブラリ情報の読み込み方法について説明する。まず、磁気テープ２のコントロールトラックをコントロールヘッド３で走査し、機器ＩＤが異なるかどうかを判別する。機器ＩＤが異なると確定した場合には磁気テープ２を先頭の位置まで巻き戻し、一番先頭にある番組のＶＩＳＳを探す。ＶＩＳＳが見つかったら、機器ＩＤ、テープＩＤ、番組ＩＤを書き込んだ３サイクル分テープを送り、そこから、前述した記録フォーマットに従ってデータを読み取っていく。またこのとき、磁気テープ２を通常の再生速度ではなく、高速に走行させても、データの記録にコントロールトラックを使用しているため読み取ることが可能である。読み取ったデータは所望のデータ形式に変換し、ライブラリ情報となる。そして、ＶＴＲに内蔵されたメモリ５に当該テープカートリッジに対応するデータとして記憶する。
【００３６】
なお、番組の記録時にＶＩＳＳが書き込まれなかった場合には磁気テープ２上に記録された機器ＩＤ及びテープＩＤから挿入されたテープカートリッジ１を特定し、このテープカートリッジ１に対応するライブラリ情報をメモリ５より読み出す。そして、一番先頭にある番組のアドレス（ＶＡＳＳ）を指定し、磁気テープ２を送る。その後、機器ＩＤ、テープＩＤ、番組ＩＤを書き込んだ３サイクル分テープを送り、そこから前述した記録フォーマットに従ってデータを読み取っていく。以下の動作はＶＩＳＳが記録されている場合と同様である。
【００３７】
本実施例におけるライブラリ情報としてはテープ情報と番組情報とがあるが、テープ情報には（１）テープタイトル  （２）テープ厚  （３）テープ長  （４）（４）テープ使用開始日時  （５）最終更新日時  が含まれ、番組情報には（１）番組ＩＤ  （２）番組タイトル  （３）録画ソース  （４）録画モード＆記録方式  （５）番組開始位置  （６）番組終了位置  （７）記録形式＆信号形式（８）番組カテゴリ  （９）記録開始日時  （１０）記録終了日時  が含まれる。そして、これらの情報の全てを磁気テープ２に記録し、他のＶＴＲに転送した場合には、転送元のＶＴＲと同様にテープカートリッジ１の管理が可能となる。一方、上述した情報の一部（内容閲覧用のデータと頭出し用のデータのみ）を磁気テープ２に記録し、他のＶＴＲに転送した場合には、一時的に使用されるテープカートリッジ１として扱われ、テープカートリッジ１を他のＶＴＲから取り出した後には内蔵したメモリ５の内容も消去される。
【００３８】
以下に、ライブラリ情報の表示の一例について説明する。図６から図１３はライブラリ情報の表示の一例を説明するための図、図１４はリモコンのキーの配置を示す図である。
【００３９】
ＶＴＲのリモコンの図１４に示す「メニュー」キーを押すと図６に示す画面が表示される。この画面では、「モード選択」、「時刻合わせ」、「チャンネル合わせ」、「ガイドチャンネル合わせ」、「ナビゲーション」の５つの機能の選択が可能である。ここで例えば、図１４に示すリモコンの「カーソル」キーでカーソルＣをナビゲーションにあわせて図１４に示す「決定」キーを押すと、図７に示すナビゲーションの画面に移る。
【００４０】
図７示すナビゲーション画面では「検索」、「タイトル編集」、「ジャンル編集」、「ライブラリ削除」、「オプション」の選択が可能である。例えば、カーソルＣを図１４に示すリモコンの「カーソル」キーで「検索」の表示にあわせて、図１４に示す「決定」キーを押すと図８に示す検索メニューの画面に移る。この画面では「テープ番号」、「ジャンル」、「見ていない番組」の選択が可能である。ここで例えば、カーソルＣを図１４に示す「カーソル」キーで「テープ番号」に合わせて図１４に示す「決定」キーを押すと図９に示すテープ番号検索画面に移る。
【００４１】
図９に示すテープ番号検索画面では、テープ番号Ｎ、テープタイトルＴ、およびデジタル記録された場合を示す「Ｄ」が表示される。ここで例えば、テープ番号として「０００７」のテープを選択する場合は、カーソルＣを図１４に示すリモコンの「カーソル」キーで０００７に合わせて図１４に示す「決定」キーを押すことにより、テープ番号０００７に記録されている番組の情報が図１０に示すように表示される。テープ０００７には１つの番組しか記録されていないため、記録された番組の情報として、番組数１、テープの記録時間１５０分、テープ残量１４５分が表示され、その下に記録日（５月１４日（金））、タイトル、記録後に別の番組が上書きがされたことを示すマークＡが１行に表示され、最下段には記録された番組の詳細情報が表示される。この詳細情報としては、例えば、記録年月日曜日（１９９９年５月１４日（金））、記録時間（午後６：１６〜午後６時３１分）、デジタル記録を示すマークＢ、番組のチャンネル（図１０にはＣＳ放送よりの記録例が表示「ＣＳ」）、記録時間が表示される。
【００４２】
１本のテープに複数の番組が収録されている場合は、例えば、図９で示したテープ番号検索画面で０００４のテープを選択した場合は、図１１に示す表示になる。図１１に示すようにテープ番号０００４のテープには５つの番組が記録され、テープの記録時間は１６０分で、テープ残量は１３９分で、記録された番組はいずれも５月１１日（火）に記録されていることが表示されているこの中で詳細情報を確認したい番組については、図１４に示すリモコンの「カーソル」キーでカーソルＣをあわせることにより最下段に詳細情報が表示される。図１１では「風とともに去りぬ」にカーソルＣを合わせた例を示しており、「風とともに去りぬ」の詳細情報は記録年月日曜日が１９９９年５月１１日（火）、記録開始時間が午後７時００分、記録終了時間が午後７時５分、「標準モード」での記録、ジャンルは「映画」、放送モードは「ステレオ放送」、記録種別は「タイマー録画」、記録したチャンネルは「３」チャンネル、記録時間は「５分間」であることが表示されている。
【００４３】
カーソルＣを他の番組に合わせれば詳細情報の表示は変化する。さらに、例えば、「風とともに去りぬ」を再生したい場合は、テープ０００４をＶＴＲに装填し、図１１に示すように「風とともに去りぬ」に図１４に示す「カーソル」キーにてカーソルＣを合わせた状態で、図１４に示すリモコンの「決定」キーを押すことにより自動的に記録開始箇所の頭出しと再生とが順次行われる。
【００４４】
また、図８に示す検索メニューで「見ていない番組」にカーソルＣを図１４に示すリモコンの「カーソル」キーであわせて「決定」キーを押すことにより、記録をしたが、まだ見ていない番組の一覧（図１２）が表示される。
図１２に示すようにＶＴＲで過去に記録されたうち、見ていない番組が記録されたテープ番号と番組タイトルとが表示される。ここで、再生を希望する番組に図１４に示すリモコンの「カーソル」キーでカーソルＣをあわせて、図１２ではテープ番号０００７の「番組の一部が上書きされた」にカーソルＣをあわせた例を示しており、この状態で図１４に示す「決定」キーを押すことにより、表示が図１０に移り、さらにこの状態で図１４に示す「決定」キーを押すと記録開始箇所までの頭出しとそれに続く再生とが順次行われる。
【００４５】
また、図８に示した「検索メニュー」の「ジャンル」にカーソルＣを図１４に示すリモコンの「カーソル」キーで合わせて図１４に示す「決定」キーを押すことにより画面が図１３に示すジャンル検索画面に移る。ジャンル検索画面では番組ジャンルの一覧が表示されており、所望のジャンルに図１４に示す「カーソル」キーを使用してカーソルＣを合わせてから図１４に示す「決定」キーを押すことにより図示していないジャンル一覧表示へ画面が切換わり、所望のジャンルが記録されているテープ番号と番組タイトルが表示される。
【００４６】
また、テープがＶＴＲに装填されている状態で、図１４に示すリモコンに設けられた「ナビゲーション」キーを押すと装填されているテープに記録されている番組の一覧が表示される。例えば、ＶＴＲにテープ番号０００４のテープが装填されている場合は、図１４に示すリモコンの「ナビゲーション」キーを押すと図１１に示した画面が表示される。
【００４７】
【発明の効果】
以上詳述したように、本発明に係る記録再生情報管理装置および記録再生情報管理方法によれば、ライブラリ情報をＶＴＲ本体に内蔵したメモリに記憶するようにするばかりでなく、記録はしたが、誤って少なくとも一部が上書きされてしまった番組については、上書きが行われたことを示す表示がされるようにした。これにより、再生せずに迅速に記録状態を確認することが可能となり、記録した番組や再生した番組の情報の管理を極めて容易に行うことができるという利点を有する。
【図面の簡単な説明】
【図１】本発明に係る記録再生装置におけるコントロールトラックへのライブラリ情報の読み書きを示すブロック図である。
【図２】タイムコードのフォーマットを示す図である。
【図３】ユーザーデータに機器ＩＤ、テープＩＤ、番組ＩＤを記録し、タイムコードデータに絶対アドレスを記録した状態を示す図である。
【図４】磁気テープのコントロールトラックにライブラリ情報を上書きする工程を示す図である。
【図５】磁気テープのコントロールトラックにライブラリ情報を上書きした状態を示す図である。
【図６】ライブラリ情報の表示の一例を示す図である。
【図７】ライブラリ情報の表示の一例を示す図である。
【図８】ライブラリ情報の表示の一例を示す図である。
【図９】ライブラリ情報の表示の一例を示す図である。
【図１０】ライブラリ情報の表示の一例を示す図である。
【図１１】ライブラリ情報の表示の一例を示す図である。
【図１２】ライブラリ情報の表示の一例を示す図である。
【図１３】ライブラリ情報の表示の一例を示す図である。
【図１４】リモコンのキーの配置を示す図である。
【符号の説明】
１    テープカートリッジ
２    磁気テープ
３    コントロールヘッド
４    サーボ回路
５    メモリ
６    ＣＰＵ
【図１】
0003606109.tif 000002
【図２】
0003606109.tif 000003
【図３】
0003606109.tif 000004
【図４】
0003606109.tif 000005
【図５】
0003606109.tif 000006
【図６】
0003606109.tif 000007
【図７】
0003606109.tif 000008
【図８】
0003606109.tif 000009
【図９】
0003606109.tif 000010
【図１０】
0003606109.tif 000011
【図１１】
0003606109.tif 000012
【図１２】
0003606109.tif 000013
【図１３】
0003606109.tif 000014
【図１４】
0003606109.tif 000015